(57)【要約】【課題】容器本体とキャップを閉めた状態で、互いに確実に係合され不用意に開くことを防ぎ、開方向へ一定以上の力が加えられたときは係合が解除されて破損を防ぐ押圧開栓キャップ付容器を提供する。【解決手段】容器本体１２の取出口１４に螺合して取り付けられ、弾性を有するキャップ２２を備える。キャップ２２には、取出口１４に螺合する円筒状の内側壁２４と外側壁３０を有し、外側壁３０に形成され取出口１４側に突出する係合爪３４を備える。取出口１４には、係合爪３４が係止される被係合爪２０を有する。容器本体１２にキャップ２２が閉じられているときは、係合爪３４と被係合爪２０が係合され、キャップ２２の押圧部３６を押圧することによって、外側壁３０が弾性変形して係合爪３４と被係合爪２０との係合が解除さる。雌ネジ３２と雄ネジ１６は、２本の突起が螺旋状に形成され互いに軸周りに１８０°離れて形成されている２条ネジである。【選択図】図１
2008050017.tif 000002
【特許請求の範囲】
【請求項１】
一端部に取出口が形成された容器本体と、前記容器本体の取出口に螺合して取り付けられる弾性を有するキャップが設けられ、前記キャップには、前記容器本体の前記取出口を覆う円筒状の側壁と、前記側壁に形成され前記取出口に螺合される雌ネジと、前記側壁に形成され前記取出口側に突出する係合爪と、前記係合爪以外の前記側壁に設けられた押圧部が設けられ、前記容器本体の前記取出口には、前記キャップの前記雌ネジに螺合される雄ネジと、前記係合爪が係止される被係合爪が設けられ、前記容器本体に前記キャップが閉じられているときは前記係合爪と前記被係合爪が係合され、キャップの押圧部を押圧することによって前記側壁が弾性変形して前記係合爪と前記被係合爪との係合が解除されて開蓋可能となる押圧開栓キャップ付容器において、前記雌ネジと前記雄ネジは、２本の突起が螺旋状に形成され互いに軸周りに１８０°離れて形成されている２条ネジであり、前記取出口の前記被係合爪は、前記雄ネジの下方に２個設けられ互いに略１８０°離れて位置し、前記被係合爪の前記キャップの係合爪に係合される係合面は、前記雄ネジのピッチより僅かに短く形成されていることを特徴とする押圧開栓キャップ付容器。
【請求項２】
前記側壁は、前記取出口を覆う円筒状の内側壁と、前記内側壁の外側に前記内側壁を覆い前記内側壁から下方に突出して設けられた円筒状の外側壁が設けられ、前記雌ネジは前記内側壁の内周面に設けられ、前記係合爪は前記外側壁の前記内側壁から突出した下端部付近の内周面に２個設けられ、前記２個の係合爪は前記外側壁の互いに略１８０°離れて位置していることを特徴とする請求項１記載の押圧開栓キャップ付容器。
【請求項３】
前記押圧部は、前記キャップの前記外側壁の、外周面に肉厚に突出して設けられ、前記押圧部はその周辺部よりも弾性変形に対して強く、前記押圧部は前記外側壁の下端部付近の互いに略１８０°離れた位置に２個設けられ、前記各押圧部は前記一対の係合爪から略９０°離れて位置することを特徴とする請求項１又は２記載の押圧開栓キャップ付容器。
【請求項４】
前記キャップに形成された雌ネジと、前記容器本体に形成された雄ネジは、螺合方向の遊びがほぼない状態に設定されていることを特徴とする請求項１又は２記載の押圧開栓キャップ付容器。
【請求項５】
前記容器本体の取出口に設けられた前記被係合爪は、前記キャップが螺合される方向に対向して設けられた膨出面と、前記膨出面に連続し前記キャップの螺合が解除される方向に対向して設けられた当接面が設けられ、前記当接面は前記取出口の半径方向に対して突出端へ近づくにつれて僅かに前記膨出面側に傾斜して設けられ、前記当接面と前記膨出面の間の角部は、丸められてＲが形成されていることを特徴とする請求項１又は２記載の押圧開栓キャップ付容器。
【発明の詳細な説明】
【技術分野】
【０００１】
この発明は、液体の医薬品や化粧品等を収容し、キャップを開栓する際に回動以外の所定の動作をしないと開かないようにして、子供などが不用意にキャップを開けることを防ぐ押圧開栓キャップ付容器に関する。
【背景技術】
【０００２】
従来、薬液等を収容する容器は、有底筒状の容器本体にキャップが螺合されて取り付けられている。螺合されたキャップは、キャップを回して簡単にはずすことができるが、乳幼児がキャップを外して内容物を飲む誤飲事故が起こる恐れがある。これを防ぐため、特許文献１には、中空容器の安全蓋体と該蓋体を装着した液体容器が開示されている。これは、薬液を収容する容器本体が設けられ、容器本体には、中空容器の肩部に円筒状の口頸部が設けられ、口頸部の外周面に、雄ネジとラチェット歯、ネックリングが形成されている。さらに、容器本体の口頸部には安全蓋体が取り付けられている。安全蓋体には押圧変形可能な円筒壁部を有し、円等壁部の内周面に、口頸部の雄ネジに螺合される雌ネジと、ラチェット歯に係止される係合突起が設けられている。この液体容器の使用方法は、口頸部に蓋体を螺合して閉じたとき、前記蓋体の係合突起が口頸部のラチェット歯に係止され、螺合が解除される方向への回転が止められ、不用意に開くことを防ぐ。開封するときは、安全蓋体の円筒壁部を押圧して弾性変形させ、係合突起とラチェット歯の係合を解除し、安全蓋体を螺合が解除される方向へ回転させて、螺合を外し開封する。
【特許文献１】特開２００４−１４９１９７号公報
【発明の開示】
【発明が解決しようとする課題】
【０００３】
上記従来の技術の場合、容器本体と安全蓋体は合成樹脂で作られているため、ラチェット歯と係合突起の係合を解除せずに無理やり強い力で回す等、過度の力や局部的な力が加わると、ラチェット歯と係合突起が変形・破損するおそれがある。変形・破損した場合、安全蓋体の開閉や安全機構に支障がでたり、また破損した樹脂片が発生して内容物に混入したりする問題があった。
【０００４】
また、ラチェット歯と係合突起は、接触面積を大きくすると係止力が高くなるが、接触面積を大きくするためには、ラチェット歯を口頸部の突出方向に長く形成することが考えられる。しかしラチェット歯を口頸部の突出方向に長くすると、安全蓋体と口頸部のネジのピッチを長く設定し安全蓋体のリードを大きくして、安全蓋体が閉じられる直前の一回転の内にはキャップの雌ネジがラチェット歯に接触しないようにする必要がある。しかし、ネジのピッチを長くして安全蓋体のリードを大きくすると、ネジ山が疎らになり、がたつきが生じて確実に閉めることができなかった。
【０００５】
この発明は、上記従来の技術の問題点に鑑みてなされたものであり、容器本体とキャップを閉めた状態で互いに確実に係合され、不用意に開くことを防ぎ、開栓する方向へ一定以上の力が加えられたときは係合が解除されて破損を防ぐ押圧開栓キャップ付容器を提供することを目的とする。
【課題を解決するための手段】
【０００６】
本発明は、一端部に取出口が形成された容器本体と、前記容器本体の取出口に螺合して取り付けられる適度な弾性を有するキャップが設けられている押圧開栓キャップ付容器であり、前記キャップには、前記容器本体の前記取出口を覆う円筒状の側壁と、前記側壁に形成され前記取出口に螺合される雌ネジと、前記側壁に形成され前記取出口側に突出する係合爪と、前記係合爪以外の前記側壁に設けられた押圧部が設けられ、前記容器本体の前記取出口には前記キャップの前記雌ネジに螺合される雄ネジと、前記係合爪が係止される被係合爪が設けられている。前記容器本体に前記キャップが閉じられているときは前記係合爪と前記被係合爪が係合され、キャップの押圧部を押圧することによって前記側壁が弾性変形して前記係合爪と前記被係合爪との係合が解除されて開蓋可能となる。前記雌ネジと前記雄ネジは、２本の突起が螺旋状に形成され互いに軸周りに１８０°離れて形成されている２条ネジであり、前記取出口の前記被係合爪は、前記雄ネジの下方に２個設けられ互いに略１８０°離れて位置し、前記被係合爪の前記キャップの係合爪に係合される係合面は、前記雄ネジのピッチより僅かに短く形成されている。
【０００７】
また、前記側壁は、前記取出口を覆う円筒状の内側壁と、前記内側壁の外側に前記内側壁を覆い前記内側壁から下方に突出して設けられた円筒状の外側壁が設けられている。前記雌ネジは前記内側壁の内周面に設けられ、前記係合爪は前記外側壁の前記内側壁から突出した下端部付近の内周面に２個設けられ、前記２個の係合爪は前記外側壁の互いに略１８０度離れて位置している。
【０００８】
また、前記押圧部は、前記キャップの前記外側壁の、外周面に肉厚に突出して設けられ、前記押圧部はその周辺部よりも弾性変形に対して強くなっている。前記押圧部は前記外側壁の下端部付近の互いに略１８０°離れた位置に２個設けられ、前記各押圧部は前記一対の係合爪から略９０°離れて位置している。
【０００９】
また、前記キャップに形成された雌ネジと、前記容器本体に形成された雄ネジは、螺合方向の遊びがほぼない状態に設定されている。
【００１０】
また、前記容器本体の取出口に設けられた前記被係合爪は、前記キャップが螺合される方向に対向して設けられた膨出面と、前記膨出面に連続し前記キャップの螺合が解除される方向に対向して設けられた当接面が設けられている。前記当接面は前記取出口の半径方向に対して僅かに突出端へ近づくにつれて前記膨出面に傾斜した角度に設けられている。前記当接面と前記膨出面の間の角部は、丸められてＲが形成されている。
【発明の効果】
【００１１】
本発明の押圧開栓キャップ付容器は、閉めた状態で互いに確実に係合され、子供のいたずら等で不用意に開栓することを防ぎ、安全である。また開栓時はキャップを弾性変形させて容易に開けることができる。また、容器本体とキャップが係合した状態で開く方向へ一定以上の力が加えられたときは、係合が解除されて破損を防ぐ。
【発明を実施するための最良の形態】
【００１２】
以下、この発明の実施形態について図面に基づいて説明する。図１〜図５はこの発明の一実施形態を示すもので、この実施形態の押圧開栓キャップ付容器１０は、有底筒状の容器本体１２を有し、容器本体１２は比較的硬い合成樹脂で作られている。容器本体１２の上端部には、径が小さい円筒状の取出口１４が一体に形成され、取出口１４の外周面には雄ネジ１６が形成されている。雄ネジ１６は２条ネジで作られ、２条ネジは、互いに同形で平行な２本の突起が螺旋状に形成され、互いに軸周りに１８０°離れている。雄ネジ１６の突起の上端部１６ａが位置する開始位置は２箇所あり、取出口１４の直径方向に１８０°互いに離れて位置し、雄ネジ１６の下端部１６ｂも取出口１４の直径方向に１８０°互いに離れて位置している。
【００１３】
取出口１４の基端部には、取出口１４の外周面から突出する段部が一周して形成される保持部１８が設けられ、保持部１８の外周面１８ａには被係合爪２０が一体に形成されている。被係合爪２０は、保持部１８の垂直方向、つまり取出口１４の挿通方向に亘ってほぼ一定の断面形状で設けられている。被係合爪２０の水平方向の断面形状について図４に基づいて説明する。図４は、容器本体１２の上方から見た部分破断断面図であり、被係合爪２０は、図面上反時計回りに表面が向いて設けられた膨出面２０ａと、膨出面２０ａに連続し時計回りに表面が向いて設けられた当接面２０ｂからなり、保持部１８の外周面１８ａから外側へ略三角形状に突出している。
【００１４】
被係合爪２０の当接面２０ｂは、キャップ２２の螺合が解除される方向に対向して設けられたもので、保持部１８の半径方向に対して突出端へ近づくにつれて僅かに膨出面２０ａ側に傾斜して設けられている。そして、膨出面２０ａと当接面２０ｂ間の角部２０ｃは、丸められてＲが形成されている。
【００１５】
被係合爪２０は、ほぼ１８０°離れて２個が設けられ、また雄ネジ１６の一対の下端部１６ｂとはそれぞれ９０°互いに離れて設けられている。また被係合爪２０の垂直方向長さｃは、図３に示すように、雄ネジ１６のピッチａより僅かに短く形成されている。
【００１６】
容器本体１２の取出口１４には、キャップ２２が着脱可能に設けられている。キャップ２２は、容器本体１２の取出口１４の保持部１８付近から取出口１４の先端部１４ａを覆う円筒形の内側壁２４を有し、内側壁２４の上端部には、円形の上面部２６が設けられている。キャップ２２の上面部２６内側には、取出口１４の内周面に当接する円筒形の当接部２８が設けられている。また、上面部２６の周縁部には、内側壁２４の外側を覆い内側壁２４から下方に突出して設けられた円筒形の外側壁３０が設けられている。
【００１７】
内側壁２４の内周面には、雄ネジ１６に螺合する雌ネジ３２が形成されている。雌ネジ３２は、２条ネジである雄ネジ１６に螺合するように２条ネジで設けられている。雌ネジ３２も雄ネジ１６と同様に、突起の上端部が位置する開始位置は２箇所あり、内側壁２４の直径方向に１８０°互いに離れて位置し、雌ネジ３２の下端部３２ｂも内側壁２４の直径方向に１８０°互いに離れて位置している。
【００１８】
外側壁３０の内周面には、キャップ２２が容器本体１２に閉じられたときに被係合爪２０に係止される係合爪３４が一体に形成されている。係合爪３４は、垂直方向、つまり外側壁３０の挿通方向に亘ってほぼ一定の断面形状で設けられている。係合爪３４の水平方向の断面形状について図４に基づいて説明する。係合爪３４は、図面上時計回りに向いて設けられた膨出面３４ａと、膨出面３４ａに連続して反時計周りに向いて設けられた当接面３４ｂからなり、外側壁３０の内周面から内側へ三角形状に突出している。
【００１９】
係合爪３４の当接面３４ｂは、キャップ２２の螺合が解除される方向を向いて設けられたもので、外側壁３０の半径方向に対して突出端に近づくにつれて僅かに膨出面３４ａ側に傾斜した角度に設けられている。膨出面３４ａと当接面３４ｂの間の角部３４ｃは、丸められてＲが形成されている。
【００２０】
キャップ２２の外側壁３０の外周面には、押圧部３６が２個形成されている。押圧部３６は、外側壁３０の外周面に、矩形の肉厚状に突出して設けられ、押圧部３６は肉厚であるため、その周辺部よりも弾性変形に対して強くなっている。押圧部３６は外側壁３０の直径方向に１８０°互いに離れて位置し、一対の係合爪３４とはそれぞれ９０°互いに離れて設けられている。
【００２１】
ここで、被係合爪２０は、１８０°離れた２箇所に設けられるため、キャップ２２が完全に閉じられる１８０°前までは被係合爪２０にキャップ２２の係合爪３４が接触しないようにする必要がある。このために、この実施形態の押圧開栓キャップ付容器１０は、以下の構造を採っている。雄ネジ１６と雌ネジ３２のピッチをａ、キャップ２２が一回転で進むリードをｂ、被係合爪２０の垂直方向長さをｃとすると、ｃはｂ×１８０°÷３６０°以下に抑える必要がある。螺合されるネジが１条ネジの場合、ａ＝ｂであり、垂直方向長さｃはピッチａの半分以下にしなければならず、十分な係合強度が得られない。そこで、ネジを１条ネジから２条ネジにすることで、ネジのピッチａに対して２倍のリードｂをとることができるので、ｃはａ×２×１８０÷３６０以下に抑えればよく、ピッチａとほぼ同様の垂直方向長さｃをとることができ、最後の１８０°以内の回動で、被係合爪２０にキャップ２２の係合爪３４が接触する。
【００２２】
また、２条ネジではネジの入口が１８０°の間隔で２箇所となるが、どちらの入口から閉めても、キャップ２２の係合爪３４と容器本体１２の被係合爪２０の位置が合致し、キャップ２２の開閉に支障が無く、確実に係合される。なお、３条以上のネジにすると、ネジの入口によってはキャップ２２の係合爪３４と容器本体１２の被係合爪２０が合致しなくなる場合があり、採用することができない。これよりも垂直方向長さｃを大きくするには、２条ネジでさらにリードｂを大きくするとよい。そして、リードｂを大きくすると雄ネジ１６、雌ネジ３２の谷の幅が広がり、雄ネジ１６と雌ネジ３２で上下方向の遊びが生じる。遊びがあると、キャップ２２を上面部２６から押さえながら開閉したとき、上下の遊びの分だけキャップ２２が下がり、係合爪３４の下端面と容器本体１２の被係合爪２０が、最後の１８０°の回動以前に接触を開始することになる。このため、キャップ２２の雌ネジ３２のネジ山幅と容器本体１２の雄ネジ１６のネジ谷幅、容器本体１２のネジ山幅とキャップ２２のネジ谷幅を合わせ、上下の遊びを極力なくすことによって、最後の１８０°の回動以前にキャップ２２が被係合爪２０に接触しない形状となる。
【００２３】
以上の構造により、キャップ２２の係合爪３４と容器本体１２の被係合爪２０が係合・解除する時以外は、係合爪３４と被係合爪２０が接触することがない。また、係合爪３４と被係合爪２０が接触する際は、十分な係合面積が確保されるので、局部的な力が加わることがない。
【００２４】
次に、この実施形態の押圧開栓キャップ付容器１０の使用方法について説明する。容器本体１２に薬液を入れ、容器本体１２の取出口１４にキャップ２２を取り付ける。このとき、キャップ２２の雌ネジ３２が取出口１４の雄ネジ１６に螺合する。キャップ２２が閉鎖される直前に、キャップ２２の係合爪３４の膨出面３４aは取出口１４の被係合爪２０の膨出面２０aに当接し、さらに力を加えて回転させると膨出面２０aの湾曲に沿ってキャップ２２が弾性変形しながら乗り越える。すると、係合爪３４の当接面３４ｂは被係合爪２０の当接面２０ｂに対向し、戻り側、つまり螺合が解除される方向への回転が止められ、係止される。そして取出口１４の先端部１４ａがキャップ２２の上面部２６に当接し、当接部２８が取出口１４の内側面に当接して密閉される。キャップ２２の雌ネジ３２と取出口１４の雄ネジ１６は２条ネジで設けられ、キャップ２２はピッチのほぼ２倍のリードで閉められるため、最後の一回転の前半では雌ネジ３２が被係合爪２０に当接することなく円滑に回転し、後半の１８０°で確実に係合爪３４の当接面３４ｂが被係合爪２０の当接面２０ｂに対向して閉められる。
【００２５】
容器本体１２から薬液を取り出すときは、キャップ２２の押圧部３６を外側から押圧し、図４の２点差線で示すようにキャップ２２の側壁２４を弾性変形させる。押圧部３６は肉厚で弾性変形しにくく、押圧部３６以外の側壁２４、特に押圧部３６から９０°離れた係合爪３４付近が一番大きく弾性変形して外側に膨らみ、係合爪３４が被係合爪２０から離れて係合が解除される。この状態で開き方向、つまり螺合が解除される方向にキャップ２２を回転させて容易に被係合爪２０を通過させ、螺合を解除してキャップ２２を取出口１４から取り外す。
【００２６】
また、キャップ２２の押圧部３６を押さずに、開き方向へ強い力でキャップ２２を回転させた場合、係合爪２０，３４の当接面２０ｂ，３４ｂは先端に近づくにつれて僅かに膨出面３４ａ，２０a側に傾斜して設けられているので、回転力によって嵌合爪３４が外側に迫り上げられ、キャップ２２の係合爪３４当接面３４ｂは被係合爪２０の当接面２０ｂに沿って外側に移動することによりキャップ２２が弾性変形し、被係合爪２０を乗り越えて係合が解除される。さらに、膨出面２０aと当接面２０ｂの間の角部２０ｃ、膨出面３４ａと当接面３４ｂの間の角部３４ｃは、丸められてＲが形成されているため、一定以上の力が加えられると円滑に係合が解除される。
【００２７】
この実施形態の押圧開栓キャップ付容器１０によれば、簡単な構造と簡単な操作で、容器本体とキャップの係合面を大きく取り確実に係合され、子供が触って不用意に開栓されることを防ぐことができる。また、開栓時に押圧部３６の押圧が不十分であったり、押圧することを忘れていたりしても、キャップ２２を一定以上の力で回すと係合が解除されて、被係合爪２０または係合爪３４が破損すること無くキャップ２２が開けられる。誤った開け方や不適切な開け方をしても被係合爪２０、係合爪３４のロック機構を損傷せず、安全機構を損なうことがない。なお、係合を解除するにはある程度の強い力が必要となるので、この方法で子供がキャップ２２を開けることは困難であり、安全である。また、被係合爪２０、係合爪３４の角部２０ｃ，３４ｃはＲが形成されているため、最も破損変形しやすい部分にエッジ部をなくして破損変形を防ぎ、また角部２０ｃ，３４ｃで局所的に係合している状態からスムーズに解除・係合の状態へ導くことができる。外側壁３０の押圧部３６の肉厚を、周辺部よりも厚くすることによって、押圧部３６を押し込みやすくするとともに、キャップ２２の係合爪３４付近の弾性変形を助成し、開く操作性が良好となり、幼児が開けるのは困難であるが大人は簡単に開けることができる。
【００２８】
また、キャップ２２は、簡単な構造のため射出成型等により簡単に成形が可能である。キャップ２２は、内側壁２４と外側壁３０の２層構造となり、内側壁２４に雌ネジ３２が、外側壁３０に係合爪３４が設けられているため、コンパクトで小形に形成することができる。
【００２９】
なお、この発明の押圧開栓キャップ付容器は、上記実施の形態に限定させるものではなく、各部材の形状や数、大きさなど、適宜変更可能である。キャップの係合爪と、取出口の被係合爪は、確実に係止され強い力では解除されて破損を防ぐものであれば、違う形状としてもよい。
【図面の簡単な説明】
【００３０】
【図１】この発明の一実施形態の押圧開栓キャップ付容器のキャップを閉める状態を示す斜視図(ａ)とキャップを逆にした状態を示す斜視図（ｂ）
【図２】この実施形態の押圧開栓キャップ付容器のキャップを閉めた状態を示す正面図である。
【図３】図２のＡ−Ａ線の拡大縦断面図である。
【図４】図２のＢ−Ｂ線の横断面図である。
【図５】この実施形態の押圧開栓キャップ付容器のキャップの底面図である。
【符号の説明】
【００３１】
１０  押圧開栓キャップ付容器
１２  容器本体
１４  取出口
１６  雄ネジ
１８  保持部
２０  被係合爪
２２  キャップ
２４  内側壁
２６  上面部
２８  当接部
３０  外側壁
３２  雌ネジ
３４  係合爪
３６  押圧部
【図１】
2008050017.tif 000003
【図２】
2008050017.tif 000004
【図３】
2008050017.tif 000005
【図４】
2008050017.tif 000006
【図５】
2008050017.tif 000007